【手続補正書】
【提出日】平成19年5月10日(2007.5.10)
【手続補正１】
【補正対象書類名】特許請求の範囲
【補正対象項目名】全文
【補正方法】変更
【補正の内容】
【特許請求の範囲】
【請求項１】
コンテンツを作成する情報処理装置において、
第１の映像データを撮像する撮像手段と、
ユーザの動作に関する情報を取得する動作情報取得手段と、
前記ユーザの操作入力を取得する操作入力手段と、
前記動作情報取得手段により取得された前記ユーザの動作に関する情報、および、前記操作入力手段により入力された前記ユーザの操作入力を基に、前記撮像手段により撮像された前記第１の映像データに所定の第１の処理を施して、前記コンテンツを構成する第２の映像データを生成する映像処理手段と、
前記映像処理手段により生成された前記第２の映像データの表示を制御する表示制御手段と
を備えることを特徴とする情報処理装置。
【請求項２】
第１の音声データを生成する音声生成手段と、
前記動作情報取得手段により取得された前記ユーザの動作に関する情報、および、前記操作入力手段により入力された前記ユーザの操作入力を基に、前記音声生成手段により生成された前記第１の音声データに、所定の第２の処理を施して、前記コンテンツを構成する第２の音声データを生成する音声処理手段と、
前記音声処理手段により生成された前記第２の音声データの出力を制御する音声出力制御手段と
を備えることを特徴とする請求項１に記載の情報処理装置。
【請求項３】
前記情報処理装置は、
天井面および前記ユーザが出入り可能な開口部を有する壁面で構成される筐体と、
前記筺体の下部に設置される床部と
によって外部と区別される、前記ユーザが十分動作可能な空間を有し、
前記操作入力手段は、前記床部の上面に複数設置され、前記ユーザの足によって踏まれることにより操作入力を受ける
ことを特徴とする請求項１に記載の情報処理装置。
【請求項４】
前記情報処理装置は、前記ユーザに把持可能な携帯型の情報処理装置である
ことを特徴とする請求項１に記載の情報処理装置。
【請求項５】
前記映像処理手段により生成された前記第２の映像データ、および、前記音声処理手段により生成された前記第２の音声データにより構成される前記コンテンツの、他の情報処理装置への出力を制御するコンテンツ出力制御手段
を更に備えることを特徴とする請求項１に記載の情報処理装置。
【請求項６】
前記動作情報取得手段により取得された前記ユーザの動作に関する情報、および、前記操作入力手段により入力された前記ユーザの操作入力を基に、照明を制御する照明制御手段
を更に備えることを特徴とする請求項１に記載の情報処理装置。
【請求項７】
前記操作入力手段により入力された前記ユーザの操作入力に対応して、前記映像処理手段により前記第１の映像データに施される前記第１の処理と、前記音声処理手段により前記第１の音声データに施される前記第２の処理とは、関連性を有する処理である
ことを特徴とする請求項１に記載の情報処理装置。
【請求項８】
コンテンツを作成する情報処理装置の情報処理方法において、
第１の音声データを生成する音声生成ステップと、
第１の映像データの撮像を制御する撮像制御ステップと、
ユーザの動作に関する情報を取得する動作情報取得ステップと、
前記ユーザの操作入力を取得する操作入力取得ステップと、
前記動作情報取得ステップの処理により取得された前記ユーザの動作に関する情報、および、前記操作入力取得ステップの処理により取得された前記ユーザの操作入力を基に、前記撮像制御ステップの処理により撮像が制御された前記第１の映像データに所定の第１の処理を施して、前記コンテンツを構成する第２の映像データを生成する映像処理ステップと、
前記動作情報取得ステップの処理により取得された前記ユーザの動作に関する情報、および、前記操作入力取得ステップの処理により取得された前記ユーザの操作入力を基に、前記音声生成ステップの処理により生成された前記第１の音声データに、所定の第２の処理を施して、前記コンテンツを構成する第２の音声データを生成する音声処理ステップと
を含むことを特徴とする情報処理方法。
【請求項９】
コンテンツを作成する処理をコンピュータに実行させるためのプログラムであって、
第１の音声データを生成する音声生成ステップと、
第１の映像データの撮像を制御する撮像制御ステップと、
ユーザの動作に関する情報を取得する動作情報取得ステップと、
前記ユーザの操作入力を取得する操作入力取得ステップと、
前記動作情報取得ステップの処理により取得された前記ユーザの動作に関する情報、および、前記操作入力取得ステップの処理により取得された前記ユーザの操作入力を基に、前記撮像制御ステップの処理により撮像が制御された前記第１の映像データに所定の第１の処理を施して、前記コンテンツを構成する第２の映像データを生成する映像処理ステップと、
前記動作情報取得ステップの処理により取得された前記ユーザの動作に関する情報、および、前記操作入力取得ステップの処理により取得された前記ユーザの操作入力を基に、前記音声生成ステップの処理により生成された前記第１の音声データに、所定の第２の処理を施して、前記コンテンツを構成する第２の音声データを生成する音声処理ステップと
を含むことを特徴とする処理をコンピュータに実行させるためのプログラム。
【請求項１０】
コンテンツを作成する第１の情報処理装置と、
前記第１の情報処理装置から前記コンテンツを受信し、前記コンテンツをユーザに配信する第２の情報処理装置と
で構成される情報処理システムであって、
前記第１の情報処理装置は、
第１の映像データを撮像する撮像手段と、
前記ユーザの動作に関する情報を取得する動作情報取得手段と、
前記ユーザの操作入力を取得する操作入力手段と、
第１の音声データを生成する音声生成手段と、
前記動作情報取得手段により取得された前記ユーザの動作に関する情報、および、前記操作入力手段により入力された前記ユーザの操作入力を基に、前記撮像手段により撮像された前記第１の映像データに所定の第１の処理を施して、前記コンテンツを構成する第２の映像データを生成する映像処理手段と、
前記動作情報取得手段により取得された前記ユーザの動作に関する情報、および、前記操作入力手段により入力された前記ユーザの操作入力を基に、前記音声生成手段により生成された前記第１の音声データに、所定の第２の処理を施して、前記コンテンツを構成する第２の音声データを生成する音声処理手段と、
前記映像処理手段により生成された前記第２の映像データの表示を制御する表示制御手段と、
前記音声処理手段により生成された前記第２の音声データの出力を制御する音声出力制御手段と、
前記映像処理手段により生成された前記第２の映像データ、および、前記音声処理手段により生成された前記第２の音声データで構成される前記コンテンツを、前記第２の情報処理装置へ送信する送信手段と
を備え、
前記第２の情報処理装置は、
前記第１の情報処理装置の前記送信手段により送信された前記コンテンツを受信する受信手段と、
前記受信手段により受信された前記コンテンツを記憶する記憶手段と、
前記ユーザから前記コンテンツの配信要求を受けた場合、前記記憶手段により記憶された前記コンテンツの前記ユーザへの配信を制御する配信制御手段と
を備えることを特徴とする情報処理システム。
【請求項１１】
前記第２の情報処理装置は、
前記配信制御手段により配信が制御される前記コンテンツの配信先の機器の種類に対応して、前記コンテンツのデータ形式を変換する変換手段
を更に備えることを特徴とする請求項１０に記載の情報処理システム。
【請求項１２】
前記第２の情報処理装置は、
前記配信制御手段により配信が制御される前記コンテンツの配信に対して発生する課金処理を実行する課金処理手段
を更に備えることを特徴とする請求項１０に記載の情報処理システム。
【手続補正２】
【補正対象書類名】明細書
【補正対象項目名】０００９
【補正方法】変更
【補正の内容】
【０００９】
本発明の情報処理装置は、第１の映像データを撮像する撮像手段と、ユーザの動作に関する情報を取得する動作情報取得手段と、ユーザの操作入力を取得する操作入力手段と、動作情報取得手段により取得されたユーザの動作に関する情報、および、操作入力手段により入力されたユーザの操作入力を基に、撮像手段により撮像された第１の映像データに所定の第１の処理を施して、コンテンツを構成する第２の映像データを生成する映像処理手段と、映像処理手段により生成された第２の映像データの表示を制御する表示制御手段とを備えることを特徴とする。
第１の音声データを生成する音声生成手段と、動作情報取得手段により取得されたユーザの動作に関する情報、および、操作入力手段により入力されたユーザの操作入力を基に、音声生成手段により生成された第１の音声データに、所定の第２の処理を施して、コンテンツを構成する第２の音声データを生成する音声処理手段と、音声処理手段により生成された第２の音声データの出力を制御する音声出力制御手段とを更に備えさせるようにすることができる。
【手続補正３】
【補正対象書類名】明細書
【補正対象項目名】００１７
【補正方法】変更
【補正の内容】
【００１７】
本発明の情報処理装置においては、第１の映像データが撮像され、ユーザの動作に関する情報が取得され、ユーザの操作入力が取得され、ユーザの動作に関する情報、および、ユーザの操作入力を基に、第１の映像データに所定の第１の処理が施されて、コンテンツを構成する第２の映像データが生成される。
また、本発明の情報処理方法、および、プログラムにおいては、第１の音声データが生成され、第１の映像データが撮像され、ユーザの動作に関する情報が取得され、ユーザの操作入力が取得され、ユーザの動作に関する情報、および、ユーザの操作入力を基に、第１の映像データに所定の第１の処理が施されて、コンテンツを構成する第２の映像データが生成され、ユーザの動作に関する情報、および、ユーザの操作入力を基に、第１の音声データに、所定の第２の処理が施されて、コンテンツを構成する第２の音声データが生成される。
【手続補正４】
【補正対象書類名】明細書
【補正対象項目名】００２２
【補正方法】変更
【補正の内容】
【００２２】
本発明によれば、映像により構成されるコンテンツを作成することができる。特に、ユーザのパフォーマンスを取得して、それを基に、映像を作成したり、映像に効果を付与することができるので、簡単なインターフェースで、オリジナリティのある、高度な画像処理が施されたコンテンツを生成することができる。
また、他の本発明によれば、映像と音声から構成されるコンテンツを作成することができる。特に、ユーザのパフォーマンスを取得して、それを基に、映像と音声を作成したり、映像や音声に効果を付与することができるので、簡単なインターフェースで、オリジナリティのある、高度な画像処理や音声処理が施されたコンテンツを生成することができる。